(57)【特許請求の範囲】
【請求項１】
通信信号ネットワークに接続される装置であって、
前記通信信号ネットワークは、信号リンクによって相互接続される複数の信号点、及び前記通信信号ネットワークの通常動作の間に生成されて、前記通信信号ネットワークによって運ばれる複数の異なるタイプのメッセージを有し、該メッセージの各々は、メッセージ・タイプ情報と、通常前記メッセージの発信元及び宛先の情報を含む経路指定情報を含み、該経路指定情報は、前記メッセージ・タイプ情報の少なくとも特定の一に対応して前記メッセージの前記発信元及び前記宛先の情報に代えて前記メッセージが運ばれる前記信号リンクの両端に位置する前記信号点を識別するものとし、且つ更に前記信号リンクにおけるリンクの一を識別するＩＤを含むよう構成され、
前記信号リンクとインタフェースをとるインタフェース手段と、該インタフェース手段に接続され、前記装置がインタフェースされる前記リンク上のメッセージを監視する監視手段にして、前記メッセージ中の前記メッセージ・タイプ情報の少なくとも特定の一の存在に応答して前記メッセージに含まれる経路指定情報を読み取り記憶するリンクＩＤ検出手段を含む監視手段とを有することを特徴とする装置。
【請求項２】
前記ネットワークは、ＣＣＩＴＴ信号システム第７号によるネットワークであることを特徴とする、請求項１に記載の装置。
【請求項３】
前記信号点の一対の間を含む前記信号リンクのいくつかは、２以上のリンクが平行に配置されることにより相互接続され、前記経路指定情報は、前記信号リンクを構成する２以上のリンクの一を他と区別して認識されるものであることを特徴とする、請求項２に記載の装置。
【発明の詳細な説明】
【０００１】
【産業上の利用分野】
本発明は、通信信号ネットワークにおける位置識別に関し、詳細には、実質的に、ＣＣＩＴＴで指定された信号システム第７号に従って動作する信号ネットワークにおいて自分の位置を識別する監視プローブに関するが、これに限らない。本明細書では、そのようなネットワークをＳＳ７ネットワークと呼ぶ。ＣＣＩＴＴ信号システム第７号は、引用によって本明細書に組み入れたRecommendations Q.700-Q.716 CCITT Volume VI - Fascicle VI.7（１９８９年、ジュネーブ、ＩＳＢＮ９２−６１−０３５１１−６）で指定されている。
【０００２】
【従来の技術】
現代の通信技術では、エンドユーザ・トラフィックを運ぶための伝送ネットワークと、信号ネットワーク自体を介して転送される制御信号に従って伝送ネットワークの動作を制御するための信号ネットワークとの２つの関係するが別々のネットワーク・インフラストラクチャを提供することが一般的な慣習になっている。実際には、そのような信号ネットワークは、信号リンクによって相互に接続された高速コンピュータから成り、コンピュータ・プログラムが、標準化プロトコルに従って１組の動作機能および信号機能を提供するようにコンピュータを制御している。そのような信号プロトコルの一例には、電話およびその他のデータ伝送ネットワークを制御するために広範囲に設置されている上述の信号システム第７号（ＳＳ７）がある。ＳＳ７ネットワークは基本的に、様々な種類の信号点、すなわち、信号リンクによって相互接続された信号終了点（ＳＥＰ）および信号転送点（ＳＴＰ）を備えている。ＳＥＰはたとえば、伝送ネットワークのそれぞれのサービス交換点（ＳＳＰ）と、サービス制御点（ＳＣＰ）とに関連付けられている。
【０００３】
伝送ネットワークが大型であり、かつ複雑であるため、非常に精巧なコンピュータ・プログラムによって制御される大型で複雑な信号ネットワークが必要とされる。信号ネットワークの複雑さは、ネットワークの単一の構成要素が故障してもネットワーク全体が故障せず、したがって関連する伝送ネットワークが故障しないようにするための冗長性を提供する必要があるために増大する。したがって、たとえば、ＳＳ７ネットワークでは、１対の地理的に離れたＳＴＰのそれぞれのメンバとの少なくとも２つの信号リンクを各ＳＳＰまたはＳＣＰに提供することが一般的である。
【０００４】
信号ネットワークを独立に監視できるようにするには、１つまたは複数のリンク上に一時的または永久的に監視プローブを設置してリンク上を流れるメッセージを監視することができる。このようなメッセージを監視することによって、ネットワークの動作を洞察して障害を検出することが可能である。監視プローブの一例には、ヒューレット・パッカード社製の37900B Signalling Test Setがある。
【０００５】
リンク上に永久的または半永久的に監視プローブを設置すると、前記プローブは一般に、動作を監視した結果を自動的にリモート管理ステーションに送信する。このステーションは、活動を監視する焦点を変更するようにプローブを制御することもできる。もちろん、プローブから送信されてくる結果を管理ステーションにとって有用なものにするには、プローブの位置が、前記プローブが設置されているリンクの絶対ＩＤによって、管理ステーションに知られていなければならない。これは一般に、設置技術者がこの情報を管理ステーションに伝達することによって行われている。これにはかなりの時間がかかり、エラーが発生しがちである。
【０００６】
【発明が解決しようとする課題】
本発明の課題は、監視プローブが設置されているリンクの識別を容易にすることのできる装置を提供することである。
【０００７】
【課題を解決するための手段】
本発明によれば、監視プローブは、必要とされる情報を経路指定ラベルで運ぶ特定のタイプのメッセージを監視することによって通信ネットワーク上のプローブ自体の位置を判定するように構成されている。メッセージの経路指定ラベルは、メッセージの発信元点および宛先点を示すと共に、複数のリンクが２つの信号点に接続されたケースに関するリンク関連情報を提供するメッセージの部分である。ＳＳ７ネットワーク上の大部分のメッセージの経路指定ラベルは、メッセージの監視されたリンクの絶対ＩＤに関する信頼できる指示を与えないが、信号リンク試験メッセージの場合、経路指定ラベルは、メッセージが監視されたリンクの端にある２つの点のＩＤと、そのリンクと他の任意の並列リンクの間にあるものとしてのリンクのＩＤとを含む。これらの情報項目は、メッセージが監視されたリンク用の絶対識別子を形成する。
【０００８】
したがって、本発明の一態様によれば、ＳＳ７ネットワークの選択されたリンク上で信号リンク試験メッセージを検出し、そのメッセージの経路指定ラベルの内容をリンクの絶対識別子として読み取り、続いて使用するように動作する、前記選択されたリンクを監視するための監視プローブが提供される。
【０００９】
本発明は実際には、装置自体が監視装置ではなく、その場合に適当な監視手段を提供することが必要とされる、既存の信号リンクに接続される予定のどんな装置項目にでも適用可能である。
【００１０】
したがって、本発明の他の態様によれば、
装置とＳＳ７信号リンクとのインタフェースをとるためのインタフェース手段と、
リンク上の信号リンク試験メッセージの存在に応答してそのメッセージの経路指定ラベルの内容をリンクの絶対識別子として読み取って記憶するリンク識別検出器手段を備え、装置が相互接続されている信号リンク上のメッセージを監視するためにインタフェース手段に接続された監視手段と、
前記絶対識別子をリモート管理ステーションに送信して、装置がどのリンクと相互接続されているかを前記ステーションに通知するための報告手段と、
を備え、それぞれが経路指定ラベルを含み、信号リンク試験メッセージを含んだメッセージを運ぶＳＳ７リンクに接続するための装置が提供される。
【００１１】
リンクの絶対識別子は、何らかの情報が装置から管理ステーションに送られるたびに前記ステーションに送信することができる。管理ステーションとの以後のすべての通信で使用される装置識別子と共にこの絶対識別子を送信することもできる。管理ステーションが、同じリンク上に設置された複数の装置項目を区別できるようになるので、この方法が好ましい。
【００１２】
本発明の他の態様によれば、
装置と前記信号リンクとのインタフェースをとるためのインタフェース手段と、
装置が相互接続されているリンク上の少なくとも１つのメッセージ・タイプのメッセージの存在に応答して、メッセージ中に含まれる経路指定情報を、メッセージを運ぶリンク用の絶対リンク識別子として読み取るリンク識別検出器手段を含み、前記リンク上のメッセージを監視するためにインタフェース手段に接続された監視手段と、
読み取った絶対リンク識別子をリモート管理ステーションに報告するための手段と、
を備え、信号リンクによって相互接続された複数の信号点を有し、少なくともある信号点が、複数のリンクによって直接、並列に相互接続されているタイプのネットワークであって、各メッセージが、メッセージ・タイプ情報、およびすべてのメッセージ・タイプではないが少なくとも１つの前記タイプに関して、関連するメッセージを運ぶリンクによって直接接続されている信号点を識別する経路指定情報と、そのリンクと他のどれかの並列リンクの間にあるものとしてのそのリンクのＩＤとの両方を含む、幾つかの異なるタイプのメッセージを運ぶように構成された通信信号ネットワークに接続するための装置が提供される。
【００１３】
【実施例】
図１を参照すると、２つのサービス交換点ＳＳＰ１１（これらの間を伝送ネットワークの音声回路１２が通過している）と、特殊サービスを提供するようにＳＳＰの動作を制御できるサービス制御点ＳＣＰ１３とから成る３つの信号終点を通信させるＳＳ７ネットワーク１０が示されている。ＳＳ７ネットワーク１０は、２対の信号転送点ＳＴＰ１４と、ＳＳＰ、ＳＣＰ、およびＳＴＰを冗長ネットワークとして相互接続する複数のリンク・セット１８とを含む。各信号リンク・セット１８は、１つまたは複数の個別の信号リンクから成り、リンク・セット中の信号リンクの数は、予測される信号トラフィックのレベルに対して適当な能力を提供するように選択される。
【００１４】
個別の伝送ネットワーク・オペレータに属するＳＳ７ネットワークは通常、図示したよりも多くのＳＴＰ対、ＳＳＰ、およびＳＣＰを備える。
【００１５】
ネットワークのリンクを通過するメッセージは、メッセージが関係する呼出しの性質と、メッセージによって指定される機能とに応じて、多数の異なるタイプのうちのどれであってもよい。以下で詳細に説明するように、各メッセージは、そのタイプを識別する情報と、メッセージの発信元および宛先を識別する経路指定ラベルとを含む。
【００１６】
ＳＳ７ネットワーク１０の動作を監視するために、監視プローブ２１が提供されている。図１では、２つのそのようなプローブが示されている。これらのプローブは、それぞれの信号リンクと関連付けられており、プローブ２１の出力を収集して分析するように働く管理ステーション１７に接続されている。管理ステーション１７は、ネットワーク２１上の特定の事象を監視するようにプローブ２１をセット・アップするように各プローブ２１の構成を制御するように構成することもできる。本例では、プローブ２１とステーション１７は、ＳＳ７ネットワークとは異なるネットワーク１９（たとえば、ＬＡＮ）を介して相互に通信する。しかし、プローブ２１とステーション１７を、ＳＳ７ネットワークのそれらに最も近い信号点に接続することによって、プローブ２１とステーション１７がＳＳ７ネットワーク自体を介して相互に通信するように構成することが可能である。この場合、情報は、関連する信号点によって符号化されて復号されるＳＳ７メッセージにおいてプローブ２１とステーション１７の間で送られる。
【００１７】
図２は、２つの信号点２０の間（たとえば、図１のＳＣＰ１３と、関連するＳＴＰのうちの１つとの間）を延びるリンク・セット１８の１つのリンク１８Ａに監視プローブ２１を接続する汎用ケースを詳細に示す。図２のリンク・セット１８は、３つのリンク、すなわち監視されるリンク１８Ａと他の２つのリンク１８Ｂおよび１８Ｃとから成る。２つの信号点２０は共に、これらのリンク１８Ａ、１８Ｂ、１８Ｃを信号点間の第１のリンク、第２のリンク、および第３のリンク（ＬＩＮＫ＝１、２、３）として識別する。
【００１８】
信号点２０自体は、ポイント・コードによってＳＳ７ネットワーク１０で固有に識別される。図２の例では、単に例としてポイント・コード８および９が信号点２０に割り振られている（実際は、各ポイント・コードは１４ビットで指定される）。
【００１９】
リンクの一端にある信号点のポイント・コード
リンクの他端にある信号点のポイント・コード
信号点を結合するリンク・セット内のリンク番号
から成る３項によってネットワーク上の個別のリンクを固有に識別できることが理解されよう。
したがって、リンク１８Ａは、３項（８、９、１）によって固有に識別される。
【００２０】
監視プローブ２１は、それが設置されているリンク１８Ａの絶対ＩＤを自動的に確認して、この情報を管理ステーション１７に送り返すように動作する。
【００２１】
監視プローブ２１は、それが設置されているリンクの絶対ＩＤを確認するために、それが接続されているリンク上のメッセージを監視する。前記のように、各メッセージは、経路指定情報を保持する経路指定ラベルを含む。この経路指定ラベルのフォーマットを図３に４２で示す。図から分かるように、経路指定ラベルは３２ビットから成り、このうち１４ビットが発信元信号点（すなわち、メッセージを送信する信号点）のポイント・コードを記録するために割り振られ、別の１４ビットが宛先信号点のポイント・コードに割り振られ、４ビットが信号リンク選択（ＳＬＳ）フィールドを形成する。
【００２２】
経路指定ラベル中の発信元ポイント・コードおよび宛先ポイント・コードはもちろん、次のホップの始点および終点ではなくメッセージの最初の始点および最終宛先点を示すものである。したがって、ＳＳ７ネットワーク上の大部分のタイプのメッセージの場合、経路指定ラベル中の宛先点コードおよび発信元点コードの読取りを、メッセージが読み取られたリンクのどちらかの端にある信号点のポイント・コードに関する確実な情報を与えるものとみなすことはできない。さらに、信号リンク選択フィールドは、メッセージを送信する際に使用すべき優先されるリンクを示すために使用される大部分のＳＳ７メッセージ・タイプに存在する。しかし、他の因子が介在してこの優先を無効にすることがあるので、このリンクが実際に使用されるものであることは保証されない。
【００２３】
言い換えると、監視プローブ２１は、大部分のＳＳ７メッセージ・タイプの場合、プローブ自体が監視しているリンク上のメッセージの経路指定ラベルを読み取ることによってそのリンクのＩＤを確認することはできない。しかし、あるメッセージ・タイプ、すなわち信号リンク試験メッセージの場合、メッセージの経路指定ラベル中の発信元ポイント・コードおよび宛先ポイント・コードは実際に、メッセージが監視されるリンクの対向する端にある信号点を示す。さらに、そのような信号リンク試験メッセージの場合、経路指定ラベルのＳＬＳフィールドは実際に、メッセージを運ぶリンクのリンク番号を、そのリンクと、同じリンク・セット中の他のどれかのリンクとの間にあるものとして含む。
【００２４】
したがって、監視プローブ２１は、リンク上の信号リンク試験メッセージを検出してそのようなメッセージの経路指定ラベルを読み取ることによって、プローブ自体が監視しているリンクのＩＤを確認することができる。
【００２５】
図３は、信号リンク試験メッセージ用の関連メッセージ・フォーマットを示す。すなわち、ＳＳ７メッセージ信号単位（ＭＳＵ）の汎用フォーマットが４０で示されており、図から分かるように、ＭＳＵは、
８ビット・フラグ・フィールド
７ビット逆方向順序番号フィールド（ＢＳＮ）
逆方向インディケータ・ビット（ＢＩＢ）
７ビット順方向順序番号フィールド（ＦＳＮ）
６ビット・リンク・インディケータ・フィールド（ＬＩ）
予備２ビット・フィールド（ＳＰ）
８ビット・サービス情報オクテット（ＳＩＯ）
８ｎビットの信号情報フィールド（ｎは、２以上に等しい正数に過ぎない）
１６ビット検査フィールド
８ビット終了フラグ・フィールド
の各フィールドから成る。
【００２６】
信号リンク試験メッセージは、ＭＳＵの信号情報フィールドに含まれている。信号リンク試験メッセージのフォーマットを図３に４１で示す。信号リンク試験メッセージは、
３２ビット経路指定ラベル
４ビット見出しコードＨ０
４ビット見出しコードＨ１
予備４ビット・フィールド
４ビット長インディケータ
８ｍビットの試験パターン（ｍは正数である）
の各フィールドから成る。
【００２７】
信号リンク試験メッセージ４１の経路指定ラベルのフォーマットについてはすでに、フォーマット４２に関して説明した。
【００２８】
信号試験メッセージに固有に、ＭＳＵのサービス・インディケータ（すなわち、ＳＩＯフィールドの最初の４ビット）が０００１に設定され、見出しコードＨ０が０００１に設定される。監視プローブ２１は、これらの設定を含むメッセージを見ることによって、信号リンク試験メッセージを識別することができる。
【００２９】
信号リンク試験メッセージに関する他の情報は、上記で引用したＣＣＩＴＴを参照することによって得ることができる。
【００３０】
次に、図２の監視プローブ２１の検討に戻ると、プローブ２１は、割込みなしでリンク上のメッセージを読み取るネットワーク・インタフェース２２によってリンク１８Ａと相互接続されている。ネットワーク・インタフェース２２の出力は、監視回路２３に接続されている。監視回路２３は、所定の監視動作を実行し（たとえば、特定の信号点から送られてくるすべてのメッセージを記録する）、監視動作の結果をデータ・メモリ２４に記憶する。所定の監視動作の性質は、ネットワーク１９を介し、プローブのインタフェース２６を介して、必要とされる監視動作のために監視回路３０を適切にプログラムするように働く制御回路２８に送られるメッセージによって管理ステーション１７から固定することも、あるいは事前にプログラムすることもできる。
【００３１】
メモリ２４に記憶されるデータは、出力がインタフェース２６に接続されたレポート発生器２５でフォーマットされた後、定期的に管理ステーション１７に渡される。レポートの生成は、制御装置２８によって制御され、たとえば、所定の間隔で、あるいは制御装置２８によって管理ステーション１７から受信される要求メッセージに応答して実行される。
【００３２】
プローブ２１を識別するための識別子は、メモリ３２に記憶される。このプローブ識別子は、レポートが生成されるたびにレポート発生器２５によって読み取られ、管理ステーション１７に送信される各レポートに含められる。このように、ステーション１７はレポートの発信元を知る。
【００３３】
プローブ２１の前記の一般動作は、標準的なものであり、当業者なら容易に実施することができる。
【００３４】
プローブ２１が、それ自体が設置されているリンクの絶対ＩＤを自動的に検出するように、プローブの監視回路３０は、プローブの最初の設置時に、監視回路３０に、リンク１８上の信号リンク試験メッセージの経路指定ラベルを読み取ってラベルの内容をリンクＩＤメモリ３１に記憶することによって前記リンク上のそのメッセージの存在に応答させるように動作する、信号リンク試験メッセージ検出回路を備えている。リンク１８Ａの絶対ＩＤがプローブ２１によって判定された後、制御装置２８は検出装置３０からの線２９上の信号によって通知を受ける。その後、制御装置２８は、レポート発生器２５に、メモリ３１から得たプローブＩＤと絶対リンク識別情報の両方を含むメッセージを管理ステーション１７に送信させる。
【００３５】
管理ステーション３０は、プローブＩＤと共に絶対リンク識別子を渡された後、続いて、プローブから渡された監視データを対応するリンクに関係付けることができる（監視データがプローブＩＤと共に渡されることが想起されよう）。
【００３６】
検出回路３０が絶対リンクＩＤを検出しないうちは、回路２３の通常の監視動作を抑制することができる。ただし、これは必須のことではない。さらに、プローブ２１の最初の設置時に絶対リンクＩＤを検出するだけでなく、定期的な間隔を置いて、あるいは連続的に前記ＩＤを検出するように検出回路３０を構成することもできる。後者の場合、管理ステーション１７に再び絶対リンクＩＤを通知するのは、前記ＩＤが変更された場合だけでよい。
【００３７】
絶対リンクＩＤは、プローブ２１によって管理ステーション１７に送信される各監視データ・レポートに含めることができるので、プローブＩＤを絶対リンクＩＤに関係付ける最初のメッセージをプローブから管理ステーションに送信することが必須でないことも理解されよう。
【００３８】
一般にもちろん、管理ステーション１７は、複数のプローブ２１からレポートを受信する。したがって、ステーション１７は、すべてのプローブＩＤを、それらに関連する絶対リンク識別子と共に記憶する参照テーブルを維持することができる。
【００３９】
管理ステーション１７のオペレータは、（たとえば、監視動作を再プログラムするために）特定の監視プローブ２１に命令を送信したい場合、所望のリンクを指定するだけでよく、監視ステーション自体は参照テーブルを参照することによって対応するプローブのＩＤを自動的に判定することができる。
【００４０】
監視プローブ２１に関して「プローブ」の語を使用したことが、ネットワークを調べて所望の情報を抽出する装置を示すこと以外の特別の意味を持たないことが理解されよう。さらに、上記のように、本発明は監視プローブ以外の装置に応用することもできる。
【００４１】
以上、本発明の実施例について詳述したが、以下、本発明の各実施例毎に列挙する。
【実施例１】
ＳＳ７ネットワークの選択されたリンク上で信号リンク試験メッセージを検出し、そのメッセージの経路指定ラベルの内容を前記選択されたリンクの絶対識別子として読み取り、続いて使用するように動作することを特徴とする、前記選択されたリンクを監視するための監視プローブ。
【実施例２】
前記プローブが、リモート管理ステーションと通信するための手段を含み、前記管理ステーションとの通信で前記絶対識別子を使用して信号ネットワーク中のプローブの位置を識別することを特徴とする、実施例１に記載の監視プローブ。
【実施例３】
信号リンク試験メッセージを含み、それぞれ、経路指定ラベルを含むメッセージを運ぶＳＳ７リンクに接続するための装置において、
装置とＳＳ７信号リンクとのインタフェースをとるためのインタフェース手段と、
リンク上の信号リンク試験メッセージの存在に応答してそのメッセージの経路指定ラベルの内容をリンクの絶対識別子として読み取って記憶するリンク識別検出器手段を含む、装置が相互接続されている信号リンク上のメッセージを監視するためにインタフェース手段に接続された監視手段と、
前記絶対識別子をリモート管理ステーションに送信して、前記装置がどのリンクと相互接続されているかを前記ステーションが判定できるようにするための報告手段とを備える装置。
【実施例４】
監視手段が、前記リンクによって運ばれるメッセージ上のデータを収集するように動作し、前記報告手段が、前記絶対識別子と共にこのデータを前記リモート管理ステーションに送信することを特徴とする実施例３に記載の装置。
【実施例５】
装置が、装置に関する装置識別情報を記憶するための手段を含み、前記報告手段が、前記装置識別情報を前記絶対識別子と共にリモート管理ステーションに送信し、それによって管理ステーションが、前記絶対識別子によって識別されるリンクと装置を関連付けられるようにすることを特徴とする実施例３に記載の装置。
【実施例６】
監視手段が、前記リンクによって運ばれるメッセージ上のデータを収集するように動作し、前記報告手段が、前記装置識別情報と共にこのデータを前記リモート管理ステーションに送信することを特徴とする実施例５に記載の装置。
【実施例７】
システム自体が、実施例５に記載の複数の監視プローブと、リモート管理ステーションと、前記監視プローブを管理ステーションと通信させるための通信手段とを備え、管理ステーションが、対応する装置識別情報によって識別される各プローブを、対応する絶対識別子によって識別される、前記プローブと相互接続されているリンクを相互に関係付ける関連付け手段を含むことを特徴とする、ＳＳ７信号ネットワーク用の監視システム。
【実施例８】
各前記プローブの監視手段が、前記管理ステーションから前記通信手段を介してプローブに送信される命令によってプログラム可能であり、管理ステーションが、前記ネットワークの特定のリンクに対して実行すべき監視動作に関する入力を受信するための手段と、前記関連付け手段を使用して特定のリンクに関連付けられたプローブを識別するための手段と、適当な命令をそのプローブに送信して、必要な前記監視動作を実行するための手段とを含むことを特徴とする、実施例７に記載の監視システム。
【実施例９】
少なくともあるものが、複数のリンクによって直接、並列に相互接続された、信号リンクによって相互接続された複数の信号点を有するタイプであり、それぞれ、メッセージ・タイプ情報、およびすべてのメッセージ・タイプではなく少なくとも１つの前記タイプに関して、関連するメッセージを運ぶリンクによって直接接続されている信号点を識別する経路指定情報と、そのリンクと他のどれかの並列リンクの間にあるものとしてのそのリンクのＩＤとの両方を含む、幾つかの異なるタイプのメッセージを運ぶように構成された、通信信号ネットワークに接続するための装置において、
装置と前記信号リンクとのインタフェースをとるためのインタフェース手段と、
装置が相互接続されているリンク上の少なくとも１つのメッセージ・タイプのメッセージの存在に応答して、メッセージ中に含まれる経路指定情報を、メッセージを運ぶリンク用の絶対リンク識別子として読み取るリンク識別検出器手段を含む、前記リンク上のメッセージを監視するためにインタフェース手段に接続された監視手段と、
読み取った絶対リンク識別子をリモート管理ステーションに報告するための手段とを備えることを特徴とする装置。
【００４２】
【発明の効果】
以上説明したように、本発明を用いることにより、監視プローブが設置されているリンクの識別を容易にすることができる。
【図面の簡単な説明】
【図１】ＳＳ７信号ネットワークの一部の概略図である。
【図２】図１に示したネットワークのリンクを監視するために使用されるプローブの概略ブロック図である。
【図３】図１のＳＳ７ネットワークによって運ばれる信号リンク試験メッセージの構成を示す図である。
【符号の説明】
１０：ＳＳ７ネットワーク
１３：サービス制御点
１４：信号転送点
１７：管理ステーション
１８：リンク・セット
２０：信号点
２１：監視プローブ
２２：ネットワーク・インタフェース
２３：監視回路
２４：メモリ
２５：レポート発生器
２６：インタフェース
２８：制御装置
３２：経路指定ラベル
４０：ＳＳ７メッセージ信号単位
４１：信号リンク試験メッセージ
【図１】
0003691532.tif 000002
【図２】
0003691532.tif 000003
【図３】
0003691532.tif 000004